(57)【要約】      （修正有）【課題】サンバイザの保管・運搬中にテントの破損を防止するコンバインの提供。【解決手段】操縦部の上側に直射日光を遮るサンバイザをグレンタンクの前壁に固定し、サンバイザを、樹脂製のテント１０と、テント１０を固定する金属製のフレーム１１と、フレーム１１の下部から下側に向かって延在する金属製のアーム１２で構成し、フレーム１１の下部とアーム１２の上部を幅方向に延在する連結ピン１３を介して着脱可能に固定し、テント１０とフレーム１１をアーム１２の上部と分離して保管・運搬を行う。【選択図】図３
2019004835.tif 000002
【特許請求の範囲】
【請求項１】
操縦部（５）の後側に脱穀処理された穀粒を貯留するグレンタンク（７）を設けたコンバインにおいて、
前記操縦部（５）の上側に直射日光を遮るサンバイザ（９）をグレンタンク（７）の前壁に固定し、
該サンバイザ（９）を、樹脂製のテント（１０）と、該テント（１０）を固定する金属製のフレーム（１１）と、該フレーム（１１）の下部から下側に向かって延在する金属製のアーム（１２）で構成し、
前記フレーム（１１）の下部とアーム（１２）の上部を幅方向に延在する連結ピン（１３）を介して着脱可能に固定し、
前記テント（１０）とフレーム（１１）をアーム（１２）の上部と分離して保管・運搬を行うことを特徴とするコンバイン。
【請求項２】
前記テント（１０）を、前後・幅方向に水平に延在する水平部（１０Ａ）と該水平部（１０Ａ）の外周縁から下側に向かって延在する垂下がり部（１０Ｂ）で形成し、
前記フレーム（１１）を、金属製部材を折曲げて略長方形状に形成された支持部（２０）と、支持部（２０）の後部から下側に向かって延在する左右一対のプレート状の連結部（２１）で形成し、
前記水平部（１０Ａ）の下面を支持部（２０）の上面に固定した請求項１記載のコンバイン。
【請求項３】
前記連結部（２１）の下部を、前記垂下がり部（１０Ｂ）の下端部よりも上側に位置させた請求項１又は２記載のコンバイン。
【発明の詳細な説明】
【技術分野】
【０００１】
本発明は、直射日光を遮断するサンバイザを備えたコンバインに関するものである。
【背景技術】
【０００２】
従来、操縦部に当たる直射日光を遮断するサンバイザをグレンタンクの前壁に支持する技術が知られている。（特許文献１）
【先行技術文献】
【特許文献】
【０００３】
【特許文献１】特開２０１７−０４２０５９号公報
【発明の概要】
【発明が解決しようとする課題】
【０００４】
しかし、サンバイザを半製品状態で保管・運搬する場合に、サンバイザの樹脂製のテントを、テントを固定する金属製のフレームと分離して保管・運搬させてしていたので、テントの上側に重い荷物が置かれた場合等に、テントが破損するという問題があった。
【０００５】
そこで、本発明の課題は、サンバイザの保管・運搬中にテントが破損を防止するコンバインを提案することにある。
【課題を解決するための手段】
【０００６】
上記課題を解決した本発明は次記のとおりである。
請求項１に係る発明は、操縦部（５）の後側に脱穀処理された穀粒を貯留するグレンタンク（７）を設けたコンバインにおいて、
前記操縦部（５）の上側に直射日光を遮るサンバイザ（９）をグレンタンク（７）の前壁に固定し、該サンバイザ（９）を、樹脂製のテント（１０）と、該テント（１０）を固定する金属製のフレーム（１１）と、該フレーム（１１）の下部から下側に向かって延在する金属製のアーム（１２）で構成し、前記フレーム（１１）の下部とアーム（１２）の上部を幅方向に延在する連結ピン（１３）を介して着脱可能に固定し、前記テント（１０）とフレーム（１１）をアーム（１２）の上部と分離して保管・運搬を行うことを特徴とするコンバインである。
【０００７】
請求項２に係る発明は、前記テント（１０）を、前後・幅方向に水平に延在する水平部（１０Ａ）と該水平部（１０Ａ）の外周縁から下側に向かって延在する垂下がり部（１０Ｂ）で形成し、前記フレーム（１１）を、金属製部材を折曲げて略長方形状に形成された支持部（２０）と、支持部（２０）の後部から下側に向かって延在する左右一対のプレート状の連結部（２１）で形成し、前記水平部（１０Ａ）の下面を支持部（２０）の上面に固定した請求項１記載のコンバインである。
【０００８】
請求項３に係る発明は、前記連結部（２１）の下部を、前記垂下がり部（１０Ｂ）の下端部よりも上側に位置させた請求項１又は２記載のコンバインである。
【発明の効果】
【０００９】
請求項１記載の発明によれば、操縦部（５）の上側に直射日光を遮るサンバイザ（９）をグレンタンク（７）の前壁に固定し、サンバイザ（９）を、樹脂製のテント（１０）と、テント（１０）を固定する金属製のフレーム（１１）と、フレーム（１１）の下部から下側に向かって延在する金属製のアーム（１２）で構成し、フレーム（１１）の下部とアーム（１２）の上部を幅方向に延在する連結ピン（１３）を介して着脱可能に固定し、テント（１０）とフレーム（１１）をアーム（１２）の上部と分離して保管・運搬を行うので、保管・運搬等にテント（１０）の上側に置かれた荷物の荷重をフレーム（１１）が支持するので、保管。運搬時のテントの破損を防止することができる。
【００１０】
請求項２記載の発明によれば、請求項１に記載の発明の効果に加えて、テント（１０）を、前後・幅方向に水平に延在する水平部（１０Ａ）と水平部（１０Ａ）の外周縁から下側に向かって延在する垂下がり部（１０Ｂ）で形成し、フレーム（１１）を、金属製部材を折曲げて略長方形状に形成された支持部（２０）と、支持部（２０）の後部から下側に向かって延在する左右一対のプレート状の連結部（２１）で形成し、水平部（１０Ａ）の下面を支持部（２０）の上面に固定したので、テント（１０）とフレーム（１１）を軽量化でき、保管・運搬等を容易に行うことができる。
【００１１】
請求項３記載の発明によれば、請求項１又は２記載の発明の効果に加えて、連結部（２１）の下部を、垂下がり部（１０Ｂ）の下端部よりも上側に位置させたので、フレーム（１１）の連結部（２１）が外部の部材に衝突するのを防止でき、また、テント（１０）とフレーム（１１）を既存の梱包箱に容易に収納することができる。
【図面の簡単な説明】
【００１２】
【図１】コンバインの右側面図である。
【図２】コンバインの正面図である。
【図３】グレンタンクの前壁に装着されたサンバイザの正面図である。
【図４】サンバイザの説明図である。
【図５】走行装置のローラフレームの（ａ）は右側面図、（ｂ）は正面図である。
【図６】走行装置のクローラを巻回したスプロケットの正面図である。
【図７】フィーダハウスの平面図である。
【発明を実施するための形態】
【００１３】
本発明について図面を参照しつつ説明する。なお、操縦者から見て、前方を前側、後方を後側、右手側を右側、左手側を左側として便宜的に方向を示して説明する。
【００１４】
図１，２に示すように、汎用コンバインは、機体フレーム１の下側に土壌面を走行する左右一対のクローラ２Ａからなる走行装置２が設けられ、機体フレーム１の前側に圃場の穀稈を収穫する刈取前処理装置３が設けられ、刈取前処理装置３の後側左部に収穫された穀稈を脱穀・選別処理する脱穀装置４が設けられ、刈取前処理装置３の後側右部に操縦者が搭乗する操縦部５が設けられている。
【００１５】
操縦部５の下部には、エンジンを搭載するエンジンルーム６が設けられ、操縦部５の後側には、脱穀・選別処理された穀粒を貯留するグレンタンク７が設けられ、グレンタンク７の後側には、穀粒を外部に排出する排出筒８が設けられている。
【００１６】
刈取前処理装置３は、圃場の穀稈を起立させながら掻込んで後側に搬送する掻込装置３Ａと、後側に搬送された穀稈の株元を切断する刈刃装置３Ｂと、後側に搬送された穀稈を左側に寄せ集めるオーガ装置３Ｃと、寄せ集められた穀稈を脱穀装置４に搬送するフィーダハウス３Ｄから構成されている。また、グレンタンク７の前壁には、操縦部５に当たる直射日光を遮るサンバイザ９が設けられている。
【００１７】
図３，４に示すように、サンバイザ９は、直射日光を遮る樹脂製のテント１０と、テント１０をボルト等の締結手段によって着脱自在に固定する鋼製のフレーム１１と、フレーム１１を支持する鋼製のアーム１２から構成されている。
【００１８】
テント１０は、前後・幅方向に水平に延在する水平部１０Ａと、水平部１０Ａの外周縁から下側に向かって延在する垂下がり部１０Ｂとから形成され、フレーム１１の下部は、連結ピン１３を介してアーム１２の上部に着脱自在で、且つ、回転自在に連結されている。
【００１９】
フレーム１１は、テント１０の水平部１０Ａの下面を支持するパイプ鋼を折曲げて略長方形状に形成された支持部２０と、支持部２０の後部から下側に向かって延在する左右一対のプレート状の連結部２１から形成されている。また、テント１０をフレーム１１に固定した状態において、連結部２１の下部は、テント１０の垂下がり部１０Ｂの下端部よりも上側に位置し、連結部２１には、それぞれ連結ピン１３を挿通する貫通孔が形成されている。これにより、フレーム１１の重量を軽量化することができ、テント１０をフレーム１１に固定した場合に、フレーム１１の連結部２１が外部の部材に衝突するのを回避することができる。
【００２０】
左右一対の連結部２１の下部は、幅方向に延在するパイプ２２によって連結されている。また、パイプ２２には、パイプ２２に挿通される連結ピン２３を介してフレーム１１の傾斜角度を操作する操作部２４が回転自在に設けられている。なお、操作部２４は、左右方向に延在する係合ピン２４Ａと、係合ピン２４Ａの両端部に設けられたレバー２４Ｂから形成されている。
【００２１】
アーム１２は、幅方向に延在する上部アーム２６と、上部アーム２６の両端部にから前側に向かって延在する左右一対のプレート状の連結部２７と、上部アーム２６の右部から後側に向かって延在した後に湾曲して下側に向かって延在する下部アーム２８から形成されている。
【００２２】
連結部２７には、それぞれ連結ピン１３を挿通する貫通孔が形成され、連結部２７の前部には、操作部２４の係合ピン２４Ａが係合する凹凸状の複数の突起が形成されている。
【００２３】
これにより、サンバイザ９を組立てる場合は、テント１０をフレーム１１に固定して、アーム１２の下部をグレンタンク７の前壁に固定した後に、フレーム１１の連結部２１の貫通孔とアーム１２の連結部２７の貫通孔に連結ピン１３を挿通してフレーム１１とアーム１２を連結させて容易に行うことができ、また、サンバイザ９を取外す場合には、フレーム１１の連結部２１の貫通孔とアーム１２の連結部２７の貫通孔から連結ピン１３を引抜いてフレーム１１とアーム１２の連結を解除して容易に行うことができる。
【００２４】
また、サンバイザ９の傾斜角度を調整する場合は、フレーム１１の操作部２４の係合ピン２４Ａを、アーム１２の連結部２７の前部に形成された突起に係合させることにより容易に行うことができる。
【００２５】
サンバイザ９を搬送する場合は、テント１０をフレーム１１に固定して一体として梱包し、連結ピン１３をアーム１２の連結部２７の貫通孔に挿通して一体として梱包するのが好ましい。これにより、テント１０の上に重い荷物が置かれた場合においても、その荷重をフレーム１１で支持することができ、テント１０の破損を防止することができる。
【００２６】
アーム１２の下部アーム２８の上部には、操縦部５に向かって空気を排風するファン（図示省略）を設け、ファンの起動スイッチを下部アーム２８の下部に設けるのが好ましい。これにより、起動スイッチを切り忘れた場合に、操縦部５から降車後にも起動スイッチを容易に切ることができる。また、ファンに接続された電線をテント１０の下側に配置するのが好ましい。これにより、電線に雨水が直接当たるのを防止することができる。
【００２７】
操縦部５の後部には、操縦者が着席する操縦席が設けられ、操縦部５の前部には、双樹者が脚を載せるステップ部が形成されている。ステップ部の上面に設けられたシート状の断熱材の下側に縞鋼版（図示省略）を積層させて設けるのが好ましい。これにより、積層された縞鋼版によって空間が形成されてステップ部の温度上昇を抑制することができる。
【００２８】
次に、走行装置２のクローラ２Ａの破損を防止する構造について説明する。図５に示すように、クローラ２Ａの内周面に当接して回転する複数のローラ３０を支持する前後方向に延在するローラフレーム３１の前端部に設けられた板状のプレート３２の内側端部に、丸棒状のガイド部材３３を設けている。
【００２９】
プレート３２は、ローラフレーム３１の下部から上側に向かって延在した後に、前上がり傾斜に形成されている。また、ガイド部材３３は、プレート３２の下部から前側に向かって延在した後に、クローラ２Ａの前方切上げ部と略平行に前上がり傾斜に形成し、その後、上側に向かって屈曲した後に、プレート３２の前上がり傾斜部と略平行に前上がり傾斜に形成されている。
【００３０】
これにより、クローラ２Ａの右部を効率良く後側に案内しクローラ２Ａの右部がローラフレーム３１に引掛かりを防止して、クローラ２Ａの破損を防止することができる。
【００３１】
次に、走行装置２のクローラ２Ａのサイズ交換を容易に行うことができる構造について説明する。図６に示すように、エンジンの回転を伝動する伝動軸３６の外側端部に、伝動軸３６と共に回転するハブ３７を設け、ハブ３７の外周部に、クローラ２Ａにエンジンの回転を伝動するスプロケット３８をボルト等の締結手段で着脱自在に固定する。これにより、クローラ２Ａのサイズを交換する場合に、スプロケット３８を容易に交換することができる。
【００３２】
ハブ３７の外側部の形状をテーパ形状、すなわちハブ３７の外周径を外側から内側に向かうに従って大きく形成するのが好ましい。これにより、スプロケット３８をハブ３７に容易に着脱することができ、また、ハブ３７とスプロケット３８と芯合わせを容易に行うことができる。
【００３３】
次に、フィーダハウス３Ｄのエンジンの回転が伝動される駆動プーリの交換を容易に行うことができる構造について説明する。図７に示すように、フィーダハウス３Ｄの後部に設けられた幅方向に延在する駆動軸４０の右端部に設けられたハブ４１に形成された貫通孔にボルト等の締結手段により駆動プーリ４２を着脱自在に固定する。これにより、駆動プーリ４２に巻回されたベルト等のサイズ変更を行う場合に、駆動プーリ４２を容易に交換することができる。
【符号の説明】
【００３４】
５          操縦部
７          グレンタンク
９          サンバイザ
１０        テント
１０Ａ      水平部
１０Ｂ      垂下がり部
１１        フレーム
１２        アーム
１３        連結ピン
２０        支持部
２１        連結部
【図１】
2019004835.tif 000003
【図２】
2019004835.tif 000004
【図３】
2019004835.tif 000005
【図４】
2019004835.tif 000006
【図５】
2019004835.tif 000007
【図６】
2019004835.tif 000008
【図７】
2019004835.tif 000009